【事件の表示】
　特許第３１１１７３６号「被転写シート」の請求項１ないし６に係る特許に対する特許異議の申立てについて、次のとおり決定する。
【結　論】
　特許第３１１１７３６号の請求項１ないし６に係る特許を維持する。
【理　由】
１．手続の経緯と本件発明について
　本件特許第３１１１７３６号は、平成５年３月３１日に出願され、平成１２年９月２２日にその特許の設定登録がなされ、藤田肇より特許異議の申立てがなされたものである。
　そして、本件の請求項１〜６に係る発明は、特許明細書の記載からみて、その特許請求の範囲請求項１〜６に記載された下記のとおりのものである。
「【請求項１】耐熱性ベースフィルムの一方の側に、このベースフィルムから剥離容易な剥離層、ホログラム形成層、該ホログラム形成層よりも屈折率の大きい透明薄膜層および昇華性染料を受像可能なガラス転移温度（Ｔｇ）が５０℃以上１１０℃以下の範囲にある熱可塑性樹脂を有する受像層を順次積層し、更に耐熱性ベースフィルムの他方の側に、上記受像層と耐熱性ベースフィルムとのブロッキングを防止するバックコート層を設けてあって、画像を形成しようとする画像表示体の表面に該受像層側を重ね該耐熱性ベースフィルムのバックコート層側から１２０〜２５０℃で加熱加圧することによって、該受像層を該画像表示体の表面に転写することが可能であること、を特徴とする被転写シート。
【請求項２】受像層が少なくともフィラーおよび紫外線吸収剤を含有することを特徴とする請求項１記載の被転写シート。
【請求項３】剥離層が耐摩擦剤と熱可塑性樹脂からなり、その熱可塑性樹脂がポリメチルメタアクリレート、またはエポキシ樹脂であることを特徴とする請求項１または２記載の被転写シート。
【請求項４】ホログラム形成層がウレタン樹脂であることを特徴とする請求項１，２または３記載の被転写シート。
【請求項５】透明薄膜層と受像層の間に、プライマー層を設けることを特徴とする請求項１，２，３または４記載の被転写シート。
【請求項６】プライマー層がウレタン樹脂、エポキシ樹脂の少なくとも１種類を含有していることを特徴とする請求項１，２，３，４または５記載の被転写シート。」
２．特許異議申立の理由の概要
　特許異議申立人　藤田肇は、
甲第１号証　特開平１−２８３５８３号公報
甲第２号証　特開平２−２１２１９３号公報
甲第３号証  特開平２−２０３３７５号公報
甲第４号証　特開昭６３−８７２８４号公報
甲第５号証　特開平４−３３９６９３号公報
を提出して、
　本件請求項１〜６に係る発明は、各々、甲第１〜５号証にそれぞれ記載された発明に基づいて当業者が容易に発明をすることができたものであり、特許法第２９条第２項の規定に違反して特許されたものであるから、特許を取消すべき旨主張している。
３．甲号各証に記載される発明
〔甲第１号証〕
　甲第１号証（特開平１−２８３５８３号公報）には、
「（２）耐熱性のあるフィルム上にガラス転移点が５０〜１１０℃となる熱可塑性樹脂及び滑剤を主成分とする転写層が設けられ、さらに該転写層上にホログラム形成樹脂層が設けられ、ホログラムパターンを表面レリーフ型ホログラムスタンパにて、加熱、加圧により刻し、さらにそのパターン上に金属反射層が設けられ、その層上に感熱接着層が設けられてなる第１項記載の方法に使用されるホログラム熱転写記録材料。」（特許請求の範囲第２項）〈１−１〉に関して、
「〈作用〉例えば第１図に示す如く、カード１０に本発明によるホログラムを形成する場合、本発明によるホログラム熱転写記録材料を該カードに載せ、××太郎とサーマルヘッドにより該ホログラム熱転写記録材料に対して印字し、その後該ホログラム熱転写記録材料を剥離することで、印字された部分のホログラムの部分のみがカード１０に接着されて残り、固有の文字情報を有するホログラム１２が得られることになる。」（第２頁右上欄第１６行〜同頁左下欄第５行）〈１−２〉、
「転写層（２）は、サーマルヘッドなどの熱媒体により任意のホログラムパターンを転写記録させるために設けた層である。この層を形成する材料は下記熱可塑性樹脂及び滑剤よりなる。・・・このような熱可塑性樹脂を具体例をもって示せば、例えば・・・ポリメチルメタアクリレート、・・・転写層（２）に使用する滑剤を具体例をもって示せば、例えばテフロンパウダー、ポリエチレンパウダー、動物系、植物系、鉱物系および石油系等の天然ワックス、・・・及びステアリン酸亜鉛等の高級脂肪酸の金属塩等をあげることができる。」（第２頁右下欄第１９行〜第３頁右下欄第５行）〈１−３〉、
「ホログラム形成樹脂層（３）に適する樹脂としては２液反応型ウレタン樹脂を使用することにより極めて良好な良結果が得られる。」（第４頁左上欄第２〜４行）〈１−４〉、
「金属反射層（８）、すなわち金属蒸着層は表面の反射率が高い金属が好ましく、具体的にはアルミニウム、金、銀、銅等及びこれらの金属を含む合金を使用することができ、通常よく知られている真空蒸着法、スパッタリング法、イオンプレーティング法などの方法によって設けることができる。厚味としては１００Åから１００００Åの範囲が適当である。」（第４頁左下欄第５〜１２行）〈１−５〉、
「感熱接着層（９）は熱的に被転写体へ接着させるために設けた物であり、具体的にはガラス転移温度が８０℃以下の熱可塑性樹脂を用いることができる。例えば、塩ビ系樹脂、メタクリル酸エステル系樹脂、飽和ポリエステル樹脂、塩酢ビ系樹脂を挙げることができる。」（第４頁左下欄第１３〜１８行）〈１−６〉と記載され、
実施例１として、
裏面にスティッキング防止層付のポリエステルフィルム上に、メチルメタクリレート樹脂とパラフィンワックスからなる転写層、次いで、２液反応型ウレタン樹脂からなるホログラム形成樹脂層を形成してから、６０℃、７２時間の養生の後、ホログラム模様を刻して、その上に約５００Å厚のアルミ蒸着層を形成、さらにその上にメタクリル酸エステル樹脂（Ｔｇ＝５５℃）と塩酢ビコポリマー（Ｔｇ＝６８℃）とからなる感熱接着層を設けて、ホログラム熱転写記録材料を得たこと〈１−７〉が示されている。
〔甲第２号証〕
　甲第２号証（特開平２−２１２１９３号公報）には、
「（１）基材シートの表面に染料受容層を形成してなる熱転写受像シートにおいて、基材シートと染料受容層との間の少なくとも一部及び／又は基材シートの背面の少なくとも一部にホログラム画像を設けたことを特徴とする熱転写受像シート。」（特許請求の範囲）〈２−１〉に関して、
「熱転写画像に独特の意匠性や特異性を与える目的でホログラムシートを貼着することが提案されている。しかしながら、この方法では・・・一旦貼着したホログラム画像が剥離し易いという問題があり、更に両画像の一体性が不十分であるという問題も大きい。従って、本発明は貼着作業が不要で且つホログラム画像と一体化した熱転写画像を形成することが出来る熱転写受像シートを提供することである。」（第２頁左上欄第６〜１７行）〈２−２〉、
「この様なホログラムシートはそのホログラム効果層５によって反射光でホログラム像が観察出来るとともに、ホログラム効果層５が透明に近いので透過光でも観察出来、全体として透明乃至半透明である。勿論、上記ホログラム効果層を形成しなければ完全透明ホログラムシートとなり、ホログラム効果層を例えば不透明且つ反射性の金属等で形成すれば、不透明（反射）型レリーフホログラムとなる。」（第３頁右下欄第１６行〜第４頁左上欄第４行）〈２−３〉、
「上記の如きホログラムシートＡは、その表面に形成する受容層２との接着力が乏しい場合にはその表面にプライマー処理やコロナ放電処理を施したり、第３図示の如き透明な接着剤層８を形成することも出来る。」（第４頁左上欄第８〜１２行）〈２−４〉と記載されている。
〔甲第３号証〕
　甲第３号証（特開平２−２０３３７５号公報）には、
「（１）ホログラムシートの少なくとも一方の面に染料受容層を形成してなることを特徴とする熱転写受像シート。」（特許請求の範囲請求項１）〈３−１〉に関して、
「この様なホログラムシートは、例えば、・・・ホログラム原版（不図示）を加圧接触させて凹凸形状７を樹脂層５に転写し、硬化させ、更にその凹凸形状７の表面に十分な透明性と或る角度での大きな反射性を兼ね備え、且つホログラム形成層５と屈折率が異なる材料（例えばアルミニウム蒸着薄膜）からなる薄膜のホログラム効果層４を形成することによって得られる。これらの形成材料及び形成方法は前述の通り従来公知の材料及び方法でよい。この様なホログラムシートはそのホログラム効果層４によって反射光でホログラム像が観察出来るとともに、ホログラム効果層４が透明に近いので透過光でも観察出来、全体として透明乃至半透明である。勿論、上記ホログラム効果層を形成しなければ透明ホログラムシートとなる。」（第２頁左下欄第１８行〜同頁右下欄第１８行）〈３−２〉、
「上記ホログラムシートの表面に形成する受容層２は、熱転写シートから移行してくる昇華性染料を受容し、形成された画像を維持する為のものである。」（第３頁左上欄第６〜９行）〈３−３〉、
「本発明の受像シートは必要に応じてホログラムシート１と受容層２との間に中間層３を設けることが出来る。例えば、ホログラムシートと受容層の接着性が不十分である場合には中間層を接着性の良い樹脂から形成することが出来る。」（第３頁左下欄第９〜１３行）〈３−４〉、
「以上の如き本発明の熱転写受像シートの用途の１例としてパスポートやＩＤカードを作成する例を説明する。先ず、パスポートの例について説明すると、第５図示の様に所望のパスポートの基材シート８を用意し、その記事記入欄に発行国の国名、記号、各国共通の注意事項等の一般的共通事項９を記録する。この記録は印刷等によって多数複製することが出来る。次に本発明の受像シートの染料受容層２に熱転写プリンターにより顔写真やサイン等の固有情報１０及び必要事項を記録する。この様にして得られた受像シートを適当な接着手段、例えば、接着剤層１１により一般共通情報が記録された基材シート８の面に貼り合せることによって目的とするパスポートが得られる。」（第３頁右下欄第１６行〜第４頁左上欄第１１行）〈３−５〉と記載されている。
〔甲第４号証〕
　甲第４号証（特開昭６３−８７２８４号公報）には、
「（１）シート状基材の一方の面に剥離可能な受像層が設けられ、該受像層には受像層側からみて逆転画像が形成されていることを特徴とする転写シート。」（特許請求の範囲第１項）〈４−１〉に関して、
「受像層を構成する材質は、・・・以上の如き合成樹脂のうちで特に好適なものはポリエステル系樹脂である。・・・転写された画像の滲み等を防止する目的で受像層中に白色顔料を添加することができる。また転写画像の耐光性を更に高めるために、受像層中に紫外線吸収剤および／または光安定化剤を添加することができる。」（第５頁左上欄第９行〜同頁右上欄第１２行）〈４−２〉と記載されている。
〔甲第５号証〕
　甲第５号証（特開平４−３３９６９３号公報）には、
「熱転写記録方法及びその記録方法に使用される中間シート」（発明の名称）〈５−１〉に関して、
「転写体と中間シートと受像体との組合せにより中間シート上の画像を受像体上に転写して受像体上に画像を形成する熱転写記録方法において、中間シートの染着層にポリビニルアセタールを用いている。又、中間シートは、少なくとも基材と染着層とからなり、染着層にポリビニルアセタールを用いている。」（第１頁左下【構成】欄）〈５−２〉、
「・・・媒体の１つとしてサーマルヘッドや通電ヘッドのような熱記録ヘッドを使用することにより被転写層の必要な部分のみ（例えば、染着層の記録画像を含む領域のみ）を受像体上に転写させることが出来る。加熱温度は特に制限されないが、通常、常温から３００℃の範囲で使用される。・・・」（段落【００２０】）〈５−３〉と記載され、
実施例１として、基材に積層される熱可塑性樹脂を含む層、即ち、熱転写で染着される受像層を１８０℃加熱ロールで加圧して記録紙表面に転写・接着したことが示されている。
４．対比・判断
〔請求項１に係る発明について〕
・本件請求項１に係る発明と、甲第１号証記載の発明とを対比すると、
後者の「基材フィルム」、「転写層」、「ホログラム形成樹脂層」、「金属反射層」、「感熱接着層」、「スティッキング防止層」、「ホログラム熱転写記録材料」は、それぞれ、前者の「耐熱性ベースフィルム」、「剥離層」、「ホログラム形成層」、「ホログラム形成層よりも屈折率の大きい薄膜層」、「熱可塑性樹脂を有する層」、「バックコート層」、「被転写シート」に相当するから、
両者は、「耐熱性ベースフィルムの一方の側に、このベースフィルムから剥離容易な剥離層、ホログラム形成層、該ホログラム形成層よりも屈折率の大きい薄膜層及び熱可塑性樹脂を有する層を順次積層し、更に耐熱性ベースフィルムの他方の側に、上記熱可塑性樹脂を有する層と耐熱性ベースフィルムとのブロッキングを防止するバックコート層を設けてあって、画像を形成しようとする画像表示体の表面に、熱可塑性樹脂を有する層側を重ね該耐熱性ベースフィルムのバックコート層側から加熱加圧することによって、該熱可塑性樹脂を有する層を該画像表示体の表面に転写することが可能である被転写シート。」で一致するが、
ホログラム形成層よりも屈折率の大きい薄膜層について、前者では、転写後にホログラムより奥側となる受像層の画像が視認出来るよう「透明」とすることが規定されているに対して、後者では専ら「不透明・反射性」とすることが規定されるのみである点《相違点１》、
最後に積層される熱可塑性樹脂を有する層について、前者では、「加熱加圧による転写・接着性」（即ち、感熱接着性）のみならず、「昇華性染料を受像可能であること」、「熱可塑性樹脂はガラス転移温度（Ｔｇ）が５０℃以上１１０℃以下の範囲のものであること」が規定されているのに対して、後者では、専ら「感熱接着性」を具備することが規定されるのみである点《相違点２》、
加熱加圧による転写・接着の温度について、前者では、「１２０〜２５０℃」と規定されているのに対して、後者では、何ら規定されない点《相違点３》で相違する。
　相違点について検討する。
・甲第２号証、甲第３号証には、ホログラム形成層に隣接する「ホログラム形成層よりも屈折率の大きい薄膜層」について、透過光で観察する透明型ホログラムとする場合には省略したり透明とするし、反射光で観察する不透明反射型ホログラムとする場合には不透明・反射性とする旨記載され、ホログラムの使用形態に応じて、該薄膜層を省略したり、透明、不透明・反射性を調整する旨が示されている。
　一方、甲第１号証には、ＩＤカード等の反射光で観察する不透明反射型ホログラムの使用形態が記載されるのみで、透過光で観察する透明型ホログラムの使用については、全く認識されておらず、何らの記載や示唆もない。
　してみると、甲号各証を参酌しても、甲第１号証の「ホログラム形成層よりも屈折率の大きい薄膜層」を「透明」にする契機はなく、《相違点１》に係る「透明」の規定が、当業者にとって容易とはいえない。
・ホログラムシートと、昇華性染料の熱転写画像の受像層とを併せ持つ被転写シートは、甲第２〜３号証にそれぞれ示されているが、ホログラムシートに続いて最後に積層される熱可塑性樹脂を有する層、即ち、ホログラムシートに付加する感熱接着層を、《相違点２》の如く、受像層として活用する点や、熱可塑性樹脂のガラス転移点（Ｔｇ）を５０℃以上２５０℃以下とする点については、何らの記載も示唆もない。
  甲第５号証には、基材に積層される熱可塑性樹脂を含む層が、加熱加圧で転写・接着される感熱接着層であり、かつ熱転写染着される受像層であるものが示されてはいるが、その被転写シートは、基材と樹脂層との単純な２層構成で、甲第１号証の改竄操作で喪失するデリケートなホログラム層を伴うものとは全く層構成が相違するから、甲第１号証のものにそのまま結び付けることは出来ない。
　また、甲第５号証には、感熱接着層かつ受像層の熱可塑性樹脂をポリビニルアセタール樹脂とすることが示されるものの、そのガラス転移点（Ｔｇ）をどうするかについては何ら記載も示唆もない。
  してみると、甲号各証を参酌しても、甲第１号証の「最後の積層される熱可塑性樹脂を有する層」について「昇華性染料を受像可能であること」、「熱可塑性樹脂はガラス転移温度（Ｔｇ）が５０℃以上１１０℃以下の範囲のものであること」とする契機はなく、《相違点２》に係る規定が、当業者にとって容易とはいえない。
・甲第５号証には、基材に積層される熱可塑性樹脂を含む層、即ち、熱転写で染着される受像層を１８０℃加熱ロールで加圧して記録紙表面に転写・接着したことが示されているが、その被転写シートは、基材と樹脂層との単純な２層構成で、甲第１号証の改竄操作で喪失するデリケートなホログラム層を伴うものとは全く層構成が相違するから、甲第１号証のものにそのまま結び付けることは出来ない。
　また、感熱接着層の熱可塑性樹脂のガラス転移点等につき何らの規定もない甲第１号証の被転写シートを、甲第５号証の加熱温度で加圧して、ホログラム像等が喪失せず良好に転写・接着できるとの可能性を示唆するものもない。
  してみると、甲号各証を参酌しても、甲第１号証の加熱加圧による転写・接着の温度を「１２０〜２５０℃」とする契機はなく、《相違点３》に係る規定が、当業者にとって容易とはいえない。
 そして、本件請求項１に係る発明は、それら相違点に係る構成により、他の構成と相俟って、「画像形成体表面に転写することにより、画像パターンの化学的及び機械的損傷を防止でき、かつ光による変褪色を防止できるとともに、ホログラム形成による改ざん防止可能な画像形成体を製造できる。」（第６７段落）、製造される画像形成体を観察すると、昇華性染料の受像層の奥に、「ホログラムパターンが鮮明に認識できる」（第６４段落）等の明細書記載の作用効果を奏するものと認められる。
  したがって、本件請求項１に係る発明は、甲第１〜５号証に記載された発明に基づいて当業者が容易に発明をすることができたものとはいえず、特許法第２９条第２項の規定により特許を受けることができないものとはいえない。
〔請求項２〜６に係る発明について〕
　本件請求項２〜６に係る発明は、それぞれ、請求項１に係るの発明の構成をすべて引用し、更に限定した発明であるから、上記請求項１に係る発明についての判断と同様の理由により、甲号各証に記載された発明に基づいて当業者が容易に発明をすることができたものとはいえない。
５．むすび
  したがって、特許異議申立ての理由及び証拠によっては、本件請求項１〜６に係る発明の特許を取り消すことはできない。
　また、他に本件請求項１〜６に係る発明の特許を取り消すべき理由を発見しない。
　よって、結論のとおり決定する。
【異議決定日】
平成１３年１０月１７日（２００１．１０．１７）